(57)【要約】【課題】スクリーン巻取時にスクリーンの引出部からスクリーン引出端がはみ出すことを抑制することが可能な巻取装置を提供する。【解決手段】巻取装置１は、厚肉部１０を引出端２０が含まれる部分に有するスクリーン２と、スクリーン２を巻き取る巻取軸３と、巻取軸３を収容する収容部４と、スクリーン２が引き出されるスリット５０を形成した引出部５と、を備える。引出部５は、スクリーン本体２ａの他面２ａ２側において第二スリット縁部５２よりもスクリーン本体２ａ側へ出て収容部４の内面４６ｃに繋がりスリット５０に入った引出端２０を受ける受け面５４を有する。厚肉部１０は、スクリーン２が巻き取られたときにスクリーン本体２ａ側の部位（１４）が収容部４に入り、且つ、スクリーン２が巻き取られた状態でスクリーン本体２ａの一面２ａ１側が受け面５４の角部５５に沿って凸となるように屈曲している屈曲部１２が形成されている。【選択図】図５
2015221585.tif 000002
【特許請求の範囲】
【請求項１】
スクリーン本体よりも厚い厚肉部を引出端が含まれる部分に有するスクリーンと、
該スクリーンを巻き取る巻取軸と、
該巻取軸を収容する収容部と、
該収容部から前記スクリーンが引き出されるスリットを形成した引出部と、を備え、
該引出部は、引き出される前記スクリーン本体の一面側となる第一スリット縁部と、引き出される前記スクリーン本体の他面側となる第二スリット縁部と、該他面側において前記第二スリット縁部よりも前記スクリーン本体側へ出て前記収容部の内面に繋がり前記スリットに入った前記引出端を受ける受け面と、を有し、
前記受け面は、前記収容部の内面に繋がる角部を有し、
前記厚肉部は、前記スクリーンが巻き取られたときに前記スクリーン本体側の部位が前記収容部に入り、且つ、前記スクリーンが巻き取られた状態で前記スクリーン本体の一面側が前記受け面の角部に沿って凸となるように屈曲している屈曲部が形成されている、巻取装置。
【請求項２】
前記厚肉部は、前記屈曲部を起点として屈曲変形可能である、請求項１に記載の巻取装置。
【請求項３】
前記厚肉部の屈曲部は、溝と突条の少なくとも一方で形成されている、請求項２に記載の巻取装置。
【請求項４】
前記厚肉部の屈曲部は、前記スクリーン本体の一面側が前記受け面の角部に沿って凸となる形状に予め成形されている、請求項１〜請求項３のいずれか一項に記載の巻取装置。
【請求項５】
前記厚肉部において、前記屈曲部から前記スクリーン本体側にある部位を本体側部位とし、前記屈曲部から前記引出端側にある部位を引出側部位とするとき、
前記本体側部位と前記引出側部位の少なくとも一方に前記屈曲部に繋がり前記スクリーンの引出方向に沿った溝及び突条を有する凹凸形状が形成されている、請求項１〜請求項４のいずれか一項に記載の巻取装置。
【発明の詳細な説明】
【技術分野】
【０００１】
本発明は、自動車の車室内等に設置される巻取装置に関する。
【背景技術】
【０００２】
車両用ドア等には、防眩のために直射日光を遮ったり、車内のプライバシーを確保したりする目的でサンシェード装置が設けられる。車両用ドアのサンシェード装置は、多くの場合、非使用時にドア本体内部に遮光スクリーンを巻き取って収納している。使用時、スクリーンは、ウインドウガラスに沿って上方へ引き出されて、スクリーン先端部のフックがドア側の係合部に係止される等して使用位置に保持され、ウインドウガラスを覆う。
【０００３】
特許文献１に示されるドアサンシェードアッセンブリは、サイドドアのインナパネルの室内側に取付けられるドアトリムの上部側の一部をサンシェードアッセンブリのアウタケースで構成している。このアウタケースの長手方向には、シェードシート（スクリーンの一種）の開口部が形成されている。開口部における室内側の縁部には、ドアトリムの上端に当接する当接片が外方に向けて一体に形成されている。開口部におけるドアガラス側の縁部には、インナパネルのフランジ部に取り付ける取付部が一体に形成されている。この取付部には、前記当接片と対応してシェードシート引出端の合成樹脂製シェードフレームを保持する凹面を有する立上がり状の保持片を備える上片が形成されている。シェードフレームは、インテグラルヒンジを介して折り畳まれた一対の挟持片でシェードシートの端部を挟持した硬質部材である。当接片と保持片との間隔は、シェードフレームの厚みに合わせられている。従って、シェードフレームは、シェードシートが巻き取られたときに凹面からケース内へは入らない。
【先行技術文献】
【特許文献】
【０００４】
【特許文献１】特開２０００−００６６６０号公報
【発明の概要】
【発明が解決しようとする課題】
【０００５】
しかし、当接片と保持片との間隔が狭いため、シェードシートが巻き取られたときにシェードフレームが保持片の凹面から離れた状態、すなわち、当接片と保持片との間から浮き上がった状態になることがある。このような状態は、サンシェードの見栄えを低下させることになる。
尚、上述した問題は、トノカバー装置等、サンシェード装置以外の巻取装置にも存在することがある。
【０００６】
本発明は、スクリーン巻取時にスクリーンの引出部からスクリーン引出端がはみ出すことを抑制することが可能な巻取装置を提供する目的を有している。
【課題を解決するための手段】
【０００７】
本発明の巻取装置は、スクリーン本体よりも厚い厚肉部を引出端が含まれる部分に有するスクリーンと、
該スクリーンを巻き取る巻取軸と、
該巻取軸を収容する収容部と、
該収容部から前記スクリーンが引き出されるスリットを形成した引出部と、を備え、
該引出部は、引き出される前記スクリーン本体の一面側となる第一スリット縁部と、引き出される前記スクリーン本体の他面側となる第二スリット縁部と、該他面側において前記第二スリット縁部よりも前記スクリーン本体側へ出て前記収容部の内面に繋がり前記スリットに入った前記引出端を受ける受け面と、を有し、
前記受け面は、前記収容部の内面に繋がる角部を有し、
前記厚肉部は、前記スクリーンが巻き取られたときに前記スクリーン本体側の部位が前記収容部に入り、且つ、前記スクリーンが巻き取られた状態で前記スクリーン本体の一面側が前記受け面の角部に沿って凸となるように屈曲している屈曲部が形成されている、態様を有する。
【発明の効果】
【０００８】
本発明によれば、スクリーン巻取時にスクリーンの引出部からスクリーン引出端がはみ出すことを抑制することが可能な巻取装置を提供することができる。
【図面の簡単な説明】
【０００９】
【図１】巻取装置１を組み付けたサイドドア８０２の例を車室Ｃ１側から示す斜視図である。
【図２】巻取装置１を例示する垂直断面図である。
【図３】屈曲変形可能な厚肉部１０を有するスクリーン２の要部を例示する図である。
【図４】（ａ）は巻取装置１を例示する平面図、（ｂ）は巻取軸３を設けるケース４０を例示する側面図である。
【図５】（ａ）〜（ｅ）は屈曲変形可能な厚肉部１０を有するスクリーン２の巻取動作を模式的に例示する図である。
【図６】（ａ）〜（ｃ）は溝１２ａを有する厚肉部１０の要部を模式的に例示する図である。
【図７】溝１２ａ及び凹凸形状１８を有する厚肉部１０の要部を模式的に例示する図である。
【図８】（ａ）〜（ｃ）は突条１２ｂを有する厚肉部１０の要部を模式的に例示する図である。
【図９】突条１２ｂ及び凹凸形状１８を有する厚肉部１０の要部を模式的に例示する図である。
【図１０】（ａ）は溝１２ａ及び突条１２ｂを有する厚肉部１０の要部を模式的に例示する図、（ｂ）は溝１２ａ及び突条１２ｂ並びに凹凸形状１８を有する厚肉部１０の要部を模式的に例示する図である。
【図１１】溝１２ａを有する厚肉部１０の形成方法を模式的に例示する図である。
【図１２】突条１２ｂを有する厚肉部１０の形成方法を模式的に例示する図である。
【図１３】（ａ）〜（ｄ）は受け面５４の角部５５に沿った凸形状に予め成形された厚肉部１０を例示する垂直断面図である。
【図１４】厚肉部１０を受け面５４の角部５５に沿った凸形状に予め成形する方法を模式的に例示する図である。
【図１５】（ａ）〜（ｅ）は受け面５４の角部５５に沿った凸形状に予め成形された厚肉部１０を有するスクリーン２の巻取動作を模式的に例示する図である。
【図１６】（ａ）は変形例に係る巻取装置１を示す平面図、（ｂ）は変形例において巻取軸３を設けるケース４０を示す側面図、である。
【図１７】（ａ）〜（ｃ）は種々の変形例におけるケース４０の要部を示す斜視図である。
【図１８】（ａ），（ｂ）は面取りの深さｄ１を模式的に例示する図である。
【図１９】（ａ）〜（ｅ）は比較例に係るスクリーン９０２の巻取動作を模式的に例示する図である。
【発明を実施するための形態】
【００１０】
以下、本発明の実施形態を説明する。むろん、以下の実施形態は本発明を例示するものに過ぎず、実施形態に示す特徴の全てが発明の解決手段に必須になるとは限らない。
【００１１】
（１）本技術の概要：
まず、図１〜１８を参照して本技術の概要を説明する。尚、図１〜１８は模式的に示す図であり、各図は整合していないことがある。
【００１２】
巻取装置１は、基本要素として、スクリーン本体２ａよりも厚い厚肉部１０を引出端２０が含まれる部分に有するスクリーン２と、該スクリーン２を巻き取る巻取軸３と、該巻取軸３を収容する収容部４と、該収容部４から前記スクリーン２が引き出されるスリット５０を形成した引出部５と、を備える。前記引出部５は、引き出される前記スクリーン本体２ａの一面２ａ１側となる第一スリット縁部５１と、引き出される前記スクリーン本体２ａの他面２ａ２側となる第二スリット縁部５２と、該他面２ａ２側において前記第二スリット縁部５２よりも前記スクリーン本体２ａ側へ出て前記収容部４の内面４６ｃに繋がり前記スリット５０に入った前記引出端２０を受ける受け面５４と、を有する。前記受け面５４は、前記収容部４の内面４６ｃに繋がる角部５５を有する。前記厚肉部１０は、前記スクリーン２が巻き取られたときに前記スクリーン本体２ａ側の部位（１４）が前記収容部４に入り、且つ、前記スクリーン２が巻き取られた状態で前記スクリーン本体２ａの一面２ａ１側が前記受け面５４の角部５５に沿って凸となるように屈曲している屈曲部１２が形成されている。
【００１３】
まず、図１９（ａ）〜（ｅ）に模式的に示す比較例の巻取装置９０１を参照して、スクリーン９０２の引出端２０を含む部分に設けられた厚肉部９１０に屈曲部が無い場合のスクリーン９０２の巻取動作を説明する。厚肉部９１０は、芯材２２によりスクリーン９０２の引出端の形状を保持する機能を有し、芯材２２を包む意匠材によりスクリーン本体２ａよりも厚く、屈曲変形し難い。図１９（ｅ）に示す収容部４から車外側（ケース方向Ｄ１１の側）には、ドアウィンドウが設けられたドアがある。収容部４から引き出されたスクリーン９０２を極力ドアウィンドウに沿わせる必要があるため、スクリーン２が引き出されるスリット５０（引出部５）は巻取軸３の軸心ＡＸ１よりもドア側（ケース方向Ｄ１１の側）にある。スリット５０の奥には、厚肉部９１０を受ける受け面５４が設けられている。この受け面５４は、ドア側の第二スリット縁部５２よりもスクリーン本体２ａ側へ出て収容部４の内面４６ｃに繋がっている。
【００１４】
図１９（ａ）は、収容方向Ｄ２１へ移動中のスクリーン９０２の様子を示している。図１９（ｂ）は、厚肉部９１０の本体側端縁１４ａが第一スリット縁部５１（ドアトリム８０５）に接触した様子を示している。この後、厚肉部９１０は、ドア側（ケース方向Ｄ１１の側）へ回転しながら図１９（ｃ）に示すようにスリット５０内に入り、本体側端縁１４ａが角部５５近傍において受け面５４に接触する。設計上、厚肉部９１０は、さらにドア側へ回転し、図１９（ｄ）に示すように本体側端縁１４ａが巻取軸３の収容空間ＳＰ１に入る。図１９（ｅ）に示すように、本体側端縁１４ａがさらに収容空間ＳＰ１に入り込むと好ましい。
【００１５】
実際には、図１９（ｄ）に示すようにケース内面４６ｃに沿う向きに近い向きのスクリーン本体２ａに引っ張られる本体側端縁１４ａがごく僅かに収容空間ＳＰ１に入った状態で止まることがある。また、図１９（ｃ）に示すように前記向きのスクリーン本体２ａに引っ張られる本体側端縁１４ａが受け面５４に突き当たった状態で止まってしまうこともある。いずれの場合も、スクリーン９０２の引出端２０がスリット５０からはみ出した状態となる。スクリーン巻取時の巻取装置９０１の見栄えを向上させるためには、スクリーン引出端２０がスリット５０からはみ出さないようにすることが好ましい。尚、収容空間ＳＰ１に本体側端縁１４ａが入り込むようにするため巻取軸３の巻取力（ばねの付勢力）を増やすと、スクリーン９０２を引き出す際に乗員の負担が大きくなってしまう。
【００１６】
本技術の場合、図５（ａ）〜（ｅ）に例示するように、スクリーン２が巻き取られた状態でスクリーン本体２ａの一面２ａ１側が受け面５４の角部５５に沿って凸となるように屈曲している屈曲部１２が上記厚肉部１０にある。これにより、スクリーン２が巻き取られたとき、受け面５４からのスクリーン引出端２０の浮き上がりが抑制される。従って、本技術は、巻取軸の巻取力を増やさなくてもスクリーン巻取時にスクリーンの引出部からスクリーン引出端がはみ出すことを抑制することが可能な巻取装置を提供することができる。
【００１７】
ここで、上記厚肉部は、実質的にスクリーン本体よりも厚ければよく、溝といった薄肉部、貫通穴、等が部分的に設けられた部位でもよい。
上記スクリーンは、透過光の少なくとも一部を遮るものであればよく、日除け用に限定されない。スクリーンには、網目を有するスクリーン、網目の無いシート、等が含まれる。
上記スリットには、直線状のスリットの他、曲線状のスリット等も含まれる。
【００１８】
ところで、前記厚肉部１０は、屈曲変形しなくてもよいが、前記屈曲部１２を起点として屈曲変形可能でもよい。尚、屈曲変形とは、屈曲する動作により形が変わることを意味する。本態様は、スクリーン２が引き出されたときに厚肉部１０の屈曲の程度が弱くなるので、スクリーンの外観を向上させることができる。
【００１９】
前記厚肉部１０の屈曲部１２は、溝１２ａと突条１２ｂの少なくとも一方で形成されてもよい。尚、「条」は、筋を意味する。突条は、突出した筋を意味する。屈曲部１２近傍よりも強度が低下するように屈曲部１２を溝１２ａで形成すると、屈強部を起点として屈曲変形可能となるように厚肉部１０を形成することができる。屈曲部１２近傍よりも強度が低下するように屈曲部１２を突条１２ｂで形成しても、屈強部を起点として屈曲変形可能となるように厚肉部１０を形成することができる。従って、本態様は、簡易な構造でスクリーンの外観を向上させることができる。
尚、並行する複数の溝で屈曲部１２を形成してもよいし、並行する複数の突条で屈曲部１２を形成してもよいし、並行する溝と突条の組み合わせで屈曲部１２を形成してもよい。
【００２０】
前記厚肉部１０の屈曲部１２は、前記スクリーン本体２ａの一面２ａ１側が前記受け面５４の角部５５に沿って凸となる形状に予め成形されてもよい。このような形状に予め屈曲部１２が成形されることにより、スクリーン２が巻き取られて厚肉部１０のスクリーン本体２ａ側の部位（１４）が収容部４に入ったとき、受け面５４からのスクリーン引出端２０の浮き上がりがさらに抑制される。従って、本態様は、スクリーン引出端の引出部からのはみ出しをさらに抑制することが可能となる。
【００２１】
ここで、前記厚肉部１０において、前記屈曲部１２から前記スクリーン本体２ａ側にある部位を本体側部位１４とし、前記屈曲部１２から前記引出端２０側にある部位を引出側部位１６とする。前記本体側部位１４と前記引出側部位１６の少なくとも一方に前記屈曲部１２に繋がり前記スクリーン２の引出方向Ｄ２２に沿った溝１８ａ及び突条１８ｂを有する凹凸形状１８が形成されてもよい。屈曲部１２を起点として厚肉部１０が屈曲し易くなるように凹凸形状１８を形成すると、スクリーン引出端の引出部からのはみ出しをさらに抑制することが可能となる。尚、凹凸形状１８は、本体側部位１４と引出側部位１６の一方にのみ形成されてもよいし、前記部位１４，１６の両方に形成されてもよい。
【００２２】
前記引出端２０の長手方向ＤＬ２の途中に操作部２３が設けられてもよい。前記厚肉部１０は、長手方向を前記引出端２０の長手方向ＤＬ２に向けて前記操作部２３に通された芯材２２を有してもよく、該芯材２２を通し前記操作部２３が設けられる箇所に開口２１ｃが形成され前記スクリーン本体２ａにおける前記引出端２０側の縁部（２ｃ）を挟んだ袋状部２１を有してもよい。本態様は、スクリーン引出端が引出部に入り込み過ぎることが抑制されるので、スクリーンを引き出す操作性を向上させることが可能となる。
【００２３】
（２）巻取装置の具体例：
図１は、巻取装置１を自動車８００のサイドドア（８０２）のサンシェード装置として使用する例を示し、ドアトリム８０５の上部を切断して巻取装置１を示している。図１に示す自動車８００は、道路上で使用されるように設計及び装備された路上走行自動車とされ、前席及び後席を囲む車室Ｃ１が形成された乗用自動車とされている。車室Ｃ１の側面部には、ドア８０２及びピラー８０３が配置されている。このドア８０２にサンシェード装置としての巻取装置１が組み付けられている。巻取装置は、遮蔽装置やシェード装置やブラインド装置と呼ばれるものを含む。図１に示す巻取装置１は、サイドドアの内装材としてドアトリム８０５の上縁内部に取り付けられ、スクリーン２を引き出し可能な巻取装置である。
【００２４】
ドア８０２は、ドアパネル８０４、ドアトリム８０５、ドアウィンドウ８０６、等が設けられている。ドアパネル８０４は、鋼板製といった金属製の車体パネルの一種である。トリム８０５は、パネル８０４の車室側に装着される内装材であり、熱可塑性樹脂といった樹脂材料を射出成形等により成形した成形品、樹脂材料の内装基材に不織布、織物、編物、といった表皮材を積層したもの、等を用いることができる。図１に示すトリム８０５は、乗員が姿勢を楽に保つために肘を掛けることが可能な形状のアームレスト８０７が設けられている。このアームレスト８０７よりも上側においてトリム８０５の裏面に巻取装置１が配置されている。
【００２５】
図１は、スクリーン２が巻取軸３に巻き取られた（収容された）巻取装置１の例を実線で示し、スクリーン２が上方に引き出された状態を二点鎖線で示している。図２は、巻取装置１の例を示す垂直断面図であり、操作部２３を通る垂直断面を示している。図３は、スクリーン２の要部を例示する図であり、厚肉部１０の垂直断面図、操作部２３の斜視図、並びに、係止孔２１ｄ及びその周辺の拡大図も示している。図４（ａ）は、巻取装置１の例を示す平面図である。図４（ｂ）は、巻取軸３を設けるケース４０の例を示す側面図であり、巻取軸３の要部を拡大した断面図も示している。
【００２６】
尚、符号Ｄ２１はスクリーン２の収容方向を示し、符号Ｄ２２はスクリーン２の引出方向を示し、符号ＡＸ１は巻取軸３の軸心を示し、符号Ｄ１１はトリム８０５からケース４０に向かうケース方向を示し、符号Ｄ１２はケース４０からトリム８０５に向かうトリム方向を示し、符号ＤＲ１はスクリーン２の巻取方向を示し、符号Ｄ１は巻取軸３の軸方向を示している。収容方向Ｄ２１と引出方向Ｄ２２とは互いに反対の方向であり、例えば、収容方向Ｄ２１が略下方、引出方向Ｄ２２が略上方となる。ケース方向Ｄ１１とトリム方向Ｄ１２とは互いに反対の方向であり、例えば、ケース方向Ｄ１１が自動車８００の車幅方向の略外側方向、トリム方向Ｄ１２が自動車８００の車幅方向の略内側方向となる。分かり易く示すため、各方向の拡大率は異なることがあり、各図は整合していないことがある。
【００２７】
スクリーン２は、遮蔽シートやブラインドシートとも呼ばれ、透過光の少なくとも一部を遮る。スクリーン２のスクリーン本体２ａは、所定の巻取位置Ｐ１１から所定の引出位置Ｐ１２まで引き出し可能な柔軟性を有する薄い材料で形成され、引出位置Ｐ１２から巻取位置Ｐ１１へ巻取可能である。スクリーン本体は、網目を有する材料でもよいし、網目の無いシート状材料でもよく、ポリエステル織物といった布、樹脂材料を用いたレザー、樹脂材料を成形したシート、等を用いることができる。スクリーン本体は、半透明シート、紫外線を遮断する透明シート、等でもよい。紫外線等も、透過光に含まれる。サンシェード装置用のスクリーン本体は、例えば、遮光性５０〜９０％程度で可撓性を有する軟質材料を所要の形状に裁断することにより形成され、ハーフケース４０から上方へ引き出されて、車両用ドアウィンドウを車室内側から覆う。巻取装置１は、乗員の防眩のために太陽光を遮ったり、プライバシーの保護や駐車時の防犯のために車外からの視認性を低下させたりする。
【００２８】
図２に示すスクリーン本体２ａの基端縁２ｂには、両面テープが貼り合わされている。この両面テープが貼り合わされている領域に巻取軸３の筒状体３１を巻き付けることによって、スクリーン本体の基端縁２ｂが筒状体３１の外側面に接着されている。
【００２９】
図３に示すスクリーン本体２ａの先端縁２ｃには、スクリーン本体２ａよりも厚い厚肉部１０が設けられている。厚肉部１０は、スクリーン２の引出端２０を含む部分にあり、袋状部２１及び芯材２２を有している。袋状部２１には、操作部２３の貫通穴２３ａを貫通した芯材２２が挿入されている。
【００３０】
図３に示す袋状部２１は、スクリーン本体２ａとは別の材料を折り返してスクリーン本体２ａの先端縁２ｃを挟んで該先端縁２ｃに溶着することにより形成され、巻取軸３の軸心ＡＸ１に並行する長手状の空間２１ａが内部に形成されている。尚、溶着とは、高温で加熱して接着させることを意味する。この空間２１ａには、芯材２２が通される。袋状部２１において引出端２０の長手方向ＤＬ２の途中、例えば、長手方向ＤＬ２の中央部２０ｃには、開口２１ｃが形成されている。この開口２１ｃは、操作部２３が設けられる箇所である。袋状部２１において両端部２０ｅ，２０ｅのそれぞれと開口２１ｃとの間には、芯材２２とで係止孔２１ｄを構成する開口が形成されている。スクリーン２を引き出した際にドア側のフックを係止孔２１ｄに挿入して該フックに引出端２０を引っ掛けると、スクリーン２の引き出し状態を保持することができる。袋状部２１には、熱可塑性樹脂といった樹脂材料を用いたレザー、樹脂材料を射出成形等により成形した成形品、等を用いることができる。本明細書において、レザーとは、両面又は片面に樹脂材料といった重合材料の付着層を伴う布を意味する。熱可塑性の材料を含むレザー等を袋状部に用いると、スクリーン本体と容易に溶着するので好適である。スクリーン本体に溶着させる点から、袋状部２１を形成するための材料は、スクリーン本体よりも厚い材料が好ましい。
【００３１】
芯材２２は、スクリーン本体２ａ及び袋状部２１よりも硬質であり、長手方向を引出端２０の長手方向ＤＬ２に向けて操作部２３及び袋状部２１に通されている。芯材２２は、該芯材２２を中心として操作部２３を回転可能に支持し、スクリーン２を引き出すときに引出端２０を案内する案内部材としての機能を有する。芯材２２には、棒状の部材、筒状の部材、板状の部材、等を用いることができ、合成樹脂の射出成形品といった成形品等を用いることができる。この合成樹脂には、ポリカーボネート（ＰＣ）、アクリロニトリルブタジエンスチレン共重合体（ＡＢＳ）、これらの材料に添加材を添加した材料、といった熱可塑性樹脂等を用いることができる。
【００３２】
操作部２３は、スクリーン本体２ａ及び袋状部２１よりも硬質であり、引出端２０の長手方向ＤＬ２の途中、例えば、長手方向ＤＬ２の中央部２０ｃに設けられる。操作部２３は、若干遊びがある状態で芯材２２を通す貫通穴２３ａが形成された基部２３ｂと、芯材２２と略平行な面状の操作片２３ｃと、を有している。従って、操作部２３はレバー状であり、操作部２３を摘むことによって収容部４から容易にスクリーン２を引き出すことができる。操作部２３には、サーモポリオレフィン（ＴＰＯ）の射出成形品といった樹脂成形品等を用いることができる。
【００３３】
図４（ｂ）に示す巻取軸３は、筒状体３１、支軸部３３、軸受け部３２、を有し、ばね６１（付勢機構６）が設けられ、該ばね６１の付勢力によりスクリーン本体２ａを巻き取り可能である。筒状体３１は、軸心ＡＸ１を中心として回転可能にケース４０に収容され、スクリーン本体２ａの基端縁２ｂを留めている。筒状体３１は、円筒状といった筒状でもよいし、円柱状といった棒状でもよい。筒状体の材質には、アルミニウムといった金属、熱可塑性樹脂といった合成樹脂、等を用いることができる。円筒状の筒状体の大きさは、特に限定されず、例えば、内径を４〜２０ｍｍ程度、外径を６〜３０ｍｍ程度とすることができる。支軸部３３は、巻取軸３の一端３０ａに設けられた部材であり、ケース４０の長手方向（軸方向Ｄ１）における一方の壁部４１の穴４１ａに挿入され、壁部４１に対して回転可能に支持されている。支軸部３３は、筒状体３１に対して回転しないように嵌め込まれている。軸受け部３２は、巻取軸３の他端３０ｂに設けられた部材であり、ケース４０の長手方向（Ｄ１）における他方の壁部４２に固定され、外側に筒状体３１が回転可能に嵌められている。軸受け部３２の固定部分には、コイルスプリングであるばね６１の一端が固定されている。ばね６１の他端は、掛止部３１ｃに固定されている。この掛止部３１ｃは、筒状体３１に挿入されて固定された部材である。ばね６１は、スクリーン２を収容方向Ｄ２１へ付勢する。通常、付勢機構６を設けた巻取軸３は、ケース４０にスクリーン２が収納されてもスクリーン２に巻取方向ＤＲ１への付勢力を加える状態でケース４０に取り付けられる。
【００３４】
尚、付勢機構は、筒状体３１の内周側に配置される以外にも、筒状体の外周側、筒状体の長手方向における端部の外側、等に配置されてもよい。付勢機構は、ユニット化されてもよく、筒状体に挿入される内ばねユニットでもよいし、筒状体の外側に設けられる外ばねユニットでもよい。付勢機構は、渦巻きばね、エラストマーやゴムといった弾性部材、等でもよい。
さらに、巻取軸に付勢機構が無く手動でスクリーンを巻き取る場合等も発明に含まれる。
【００３５】
図２，４等に示すハーフケース４０は、収容位置Ｐ１０にある巻取軸３の軸方向Ｄ１の両端部に形成された一対の壁部４１，４２と、開口部４７が形成された側面部４６と、を有し、巻取軸３を収容する収容部４を構成する。なお、「側面」には角柱、円柱、等の底面以外の面という意味があるように、側面部４６はケース４０において収容位置Ｐ１０にあるときの巻取軸３の周りにある部位を意味する。従って、背部４６ａのようにユーザーから見て前後に配置される部位や、底部４６ｂのように上下に配置される部位も、側面部４６に含まれる。
【００３６】
ケース４０の長手方向（軸方向Ｄ１）において相対向する壁部４１，４２は、軸方向Ｄ１と略直交する立壁状に形成されている。一方の壁部４１の穴４１ａには巻取軸３の一端３０ａが挿入され、壁部４１は軸心ＡＸ１を中心として巻取軸３の一端３０ａを回転可能に支持している。他方の壁部４２は、巻取軸３の他端３０ｂを固定している。開口部４７は、ドアトリム８０５でほぼ覆われる部分であり、スクリーン本体２ａが引き出される部分でもある。
【００３７】
ケース４０は、トリム８０５と合わせられることによって、巻取軸３及びスクリーン本体２ａ等の収容空間ＳＰ１を形成する。ケース４０は、巻取装置１のハウジング部分の一部を構成する半割体であって、スクリーン２等の構成部品が予め組み付けられてユニット化されてもよい。ユニット化されたケース４０に形成された複数の穴４０ａにスクリューなど公知の締結手段を挿通させることにより、このケース４０がトリム８０５に締結され、巻取装置１が車両本体に一体化される。ケース４０には、合成樹脂の射出成形品といった成形品等を用いることができる。合成樹脂には、ケースに軽量で安価な汎用樹脂等を用いることができる。このような汎用樹脂は、ポリプロピレン（ＰＰ）、ポリエチレン（ＰＥ）、これらの材料に添加材を添加した材料、等を例示することができる。
【００３８】
図２，４等に示す引出部５には、収容部４からスクリーン２が引き出されるスリット５０が形成されている。このスリット５０の縁部は、引き出されるスクリーン本体２ａの一面２ａ１側となるドアトリム８０５側の第一スリット縁部５１と、引き出されるスクリーン本体２ａの他面２ａ２側となるケース４０側の第二スリット縁部５２と、で形成されている。ケース４０には、第二スリット縁部５２から第一スリット縁部５１とは反対のケース方向Ｄ１１へ向かう外方延出部４３と、第二スリット縁部５２からスクリーン本体２ａの収容方向Ｄ２１（下方）へ向かう段差部５３と、第二スリット縁部５２よりもスクリーン本体２ａ側（トリム方向Ｄ１２）へ出てケース４０の内面４６ｃに繋がった受け面５４と、が形成されている。外方延出部４３は、スリット５０を挟んでトリム８０５から連続するように形成されている。段差部５３は、外方延出部４３と受け面５４とを段状に繋ぐ面状の部位である。受け面５４は、外方延出部４３に並行するように形成された面状の部位であり、スクリーン本体の他面２ａ２側において第一スリット縁部５１と第二スリット縁部５２との間に入ったスクリーン引出端２０を受ける。受け面５４は収容部の内面４６ｃからスクリーン本体２ａから反対のケース方向Ｄ１１へ引いた部位とも言え、収容部４の内面４６ｃに繋がる受け面５４の角部５５が第一スリット縁部５１の直下にある。収容部の内面４６ｃに繋がった受け面５４がスクリーン本体の他面２ａ２側においてスリット５０の直下にあることにより、収容空間ＳＰ１から引き出されるスクリーン本体２ａは、角部５５と接触する箇所で第二スリット縁部５２側へ曲がってからスリット５０から外部へ出ることになる。
また、スクリーン本体２ａが巻取軸３に巻き取られたときにスクリーン引出端２０が第二スリット縁部５２側へ傾いた状態で受け面５４に載置される。
【００３９】
（３）屈曲変形可能な厚肉部の具体例：
図５（ａ）〜（ｅ）は、屈曲変形可能な厚肉部１０を有するスクリーン２の巻取動作を模式的に示している。本技術は、図５（ｅ）に例示するように、スクリーン２が巻き取られたとき、厚肉部１０において少なくとも本体側端縁１４ａが収容部４に入り、且つ、屈曲部１２を起点として厚肉部１０が屈曲していることを特徴とする。屈曲部１２は、スクリーン２が巻き取られた状態でスクリーン本体２ａの一面２ａ１側が受け面５４の角部５５に沿って凸となるように屈曲している。尚、一面２ａ１側が凸となるように屈曲部１２が屈曲しているとは、図５（ｅ）の括弧内に示すように、屈曲部１２の近傍において軸心ＡＸ１に沿った方向から見たときに本体側部位１４と引出側部位１６のなす一面２ａ１側の角度θ１が本体側部位１４と引出側部位１６のなす他面２ａ２側の角度θ２よりも大きいことを意味する。本体側部位１４は、屈曲部１２から前記スクリーン本体２ａ側にある部位である。引出側部位１６は、屈曲部１２から前記引出端２０側にある部位である。
以下、上記厚肉部１０に含まれる種々の厚肉部１０Ａ〜１０Ｎを説明する。
【００４０】
図６（ａ）〜（ｃ）は、屈曲部１２として溝１２ａが形成された屈曲変形可能な厚肉部１０Ａ〜１０Ｃの要部を模式的に示している。厚肉部１０Ａ〜１０Ｃは、袋状部２１の空間２１ａを除いて溶着されている。溶着部１１は、厚肉部１０Ａ〜１０Ｃのうち溶着された部分である。
図６（ａ）は、長手方向をスクリーン引出端２０の長手方向ＤＬ２に向けた溝１２ａがスクリーン本体２ａの一面２ａ１側と他面２ａ２側の両方に形成された厚肉部１０Ａを示している。図６（ａ）の右側には、図６（ａ）のＡ１−Ａ１の位置における厚肉部１０Ａの断面を示している。厚肉部１０Ａにおいて溝１２ａの部分の厚みＴ３が溝１２ａ近傍の本体側部位１４及び引出側部位１６の厚みＴ２よりも薄くされることにより、厚肉部１０Ａが溝１２ａを起点として屈曲変形可能とされている。
【００４１】
図６（ｂ）は、引出端２０の長手方向ＤＬ２に沿って断続的に溝１２ａが形成された厚肉部１０Ｂを示している。図６（ｂ）の右側には、溝１２ａを通るＡ１−Ａ１の位置、及び、溝１２ａを通らないＡ２−Ａ２の位置における厚肉部１０Ｂの断面を示している。厚肉部１０Ｂにおいても溝１２ａの部分の厚みＴ３が溝１２ａ近傍の本体側部位１４及び引出側部位１６の厚みＴ２よりも薄くされることにより、厚肉部１０Ｂが溝１２ａを起点として屈曲変形可能とされている。
図６（ｃ）は、長手方向を引出端２０の長手方向ＤＬ２に向けた溝１２ａが複数本形成された厚肉部１０Ｃを示している。図６（ｃ）の右側には、図６（ｃ）のＡ１−Ａ１の位置における厚肉部１０Ｃの断面を示している。溝１２ａが複数本形成されることにより、溝１２ａを起点として厚肉部１０Ｃが屈曲変形し易く、引出端２０の引出部５からのはみ出しがさらに抑制される。溝１２ａは、図６（ｃ）に示す２本に限定されず、３本以上でもよい。複数本の溝１２ａの少なくとも一部は、断続的に形成されてもよい。
【００４２】
尚、スクリーン本体２ａの厚みをＴ１とするとき、厚肉部１０Ａ〜１０Ｃにおける溝１２ａの部分の厚みＴ３は、Ｔ１＜Ｔ３が好ましい。これは、溝１２ａの部分にスクリーン本体の材料がある場合にスクリーン本体の材料の構造が維持されるためである。
また、溝１２ａは、一面２ａ１側に形成されず他面２ａ２側にのみ形成されてもよいし、他面２ａ２側に形成されず一面２ａ１側にのみ形成されてもよい。
【００４３】
図７は、屈曲部１２に繋がりスクリーン２の引出方向Ｄ２２に沿った複数の溝１８ａを有する凹凸形状１８が本体側部位１４と引出側部位１６の両方に形成された厚肉部１０Ｄを示している。判りやすく示すため、表面に現れている溝１２ａ，１８ａにハッチングを付している。図７の右側には、溝１８ａを通らないＡ１−Ａ１の位置における厚肉部１０Ｄの断面を示している。図７の中程には、溝１８ａを通るＡ２−Ａ２の位置における厚肉部１０Ｄの断面を示している。図７の下には、図７のＡ３−Ａ３の位置における厚肉部１０Ｄの断面を示している。本体側部位１４及び引出側部位１６の溝１８ａは、スクリーン本体２ａの一面２ａ１側と他面２ａ２側の両方に形成されている。長手方向を引出方向Ｄ２２に向けた溝１８ａが屈曲部１２である溝１２ａに繋がっていることにより、溝１２ａを起点として厚肉部１０Ｄが屈曲変形し易く、引出端２０の引出部５からのはみ出しがさらに抑制される。
【００４４】
尚、厚肉部１０Ｄにおける溝１８ａの部分の厚みは、スクリーン本体２ａの厚みＴ１よりも大きい方が好ましい。これは、溝１８ａの部分にスクリーン本体の材料がある場合にスクリーン本体の材料の構造が維持されるためである。
また、溝１８ａは、本体側部位１４に形成されず引出側部位１６にのみ形成されてもよいし、引出側部位１６に形成されず本体側部位１４にのみ形成されてもよい。むろん、溝１８ａは、一面２ａ１側に形成されず他面２ａ２側にのみ形成されてもよいし、他面２ａ２側に形成されず一面２ａ１側にのみ形成されてもよい。溝１８ａの長手方向は、引出方向Ｄ２２から例えば４５°以内（より好ましくは３０°以内、さらに好ましくは１５°以内）でずれてもよい。
【００４５】
図８（ａ）〜（ｃ）は、屈曲部１２として突条１２ｂが形成された屈曲変形可能な厚肉部１０Ｅ〜１０Ｇの要部を模式的に示している。厚肉部１０Ｅ〜１０Ｇも、袋状部２１の空間２１ａを除いて溶着されている。
図８（ａ）は、長手方向をスクリーン引出端２０の長手方向ＤＬ２に向けた突条１２ｂがスクリーン本体２ａの一面２ａ１側と他面２ａ２側の両方に形成された厚肉部１０Ｅを示している。図８（ａ）の右側には、図８（ａ）のＡ１−Ａ１の位置における厚肉部１０Ｅの断面を示している。厚肉部１０Ｅにおいて突条１２ｂの部分の厚みＴ４が突条１２ｂ近傍の本体側部位１４及び引出側部位１６の厚みＴ２よりも大きくされることにより、厚肉部１０Ｅにおいて突条１２ｂの部分の溶着が弱くなり、厚肉部１０Ｅが突条１２ｂを起点として屈曲変形可能とされる。
【００４６】
図８（ｂ）は、引出端２０の長手方向ＤＬ２に沿って断続的に突条１２ｂが形成された厚肉部１０Ｆを示している。図８（ｂ）の右側には、突条１２ｂを通るＡ１−Ａ１の位置、及び、突条１２ｂを通らないＡ２−Ａ２の位置における厚肉部１０Ｆの断面を示している。厚肉部１０Ｆにおいても突条１２ｂの部分の厚みＴ４が突条１２ｂ近傍の本体側部位１４及び引出側部位１６の厚みＴ２よりも大きくされることにより、厚肉部１０Ｆが突条１２ｂを起点として屈曲変形可能とされている。
図８（ｃ）は、長手方向を引出端２０の長手方向ＤＬ２に向けた突条１２ｂが複数本形成された厚肉部１０Ｇを示している。図８（ｃ）の右側には、図８（ｃ）のＡ１−Ａ１の位置における厚肉部１０Ｇの断面を示している。突条１２ｂが複数本形成されることにより、突条１２ｂを起点として厚肉部１０Ｇが屈曲変形し易く、引出端２０の引出部５からのはみ出しがさらに抑制される。突条１２ｂは、図８（ｃ）に示す２本に限定されず、３本以上でもよい。複数本の突条１２ｂの少なくとも一部は、断続的に形成されてもよい。
【００４７】
尚、突条１２ｂは、一面２ａ１側に形成されず他面２ａ２側にのみ形成されてもよいし、他面２ａ２側に形成されず一面２ａ１側にのみ形成されてもよい。
【００４８】
図９は、屈曲部１２に繋がりスクリーン２の引出方向Ｄ２２に沿った複数の突条１８ｂを有する凹凸形状１８が本体側部位１４と引出側部位１６の両方に形成された厚肉部１０Ｈを示している。判りやすく示すため、表面に現れている突条１２ｂ，１８ｂにハッチングを付している。図９の右側には、突条１８ｂを通らないＡ１−Ａ１の位置における厚肉部１０Ｈの断面を示している。図９の中程には、突条１８ｂを通るＡ２−Ａ２の位置における厚肉部１０Ｈの断面を示している。図９の下には、図９のＡ３−Ａ３の位置における厚肉部１０Ｈの断面を示している。本体側部位１４及び引出側部位１６の突条１８ｂは、スクリーン本体２ａの一面２ａ１側と他面２ａ２側の両方に形成されている。長手方向を引出方向Ｄ２２に向けた突条１８ｂが屈曲部１２である突条１２ｂに繋がっていることにより、突条１２ｂを起点として厚肉部１０Ｈが屈曲変形し易く、引出端２０の引出部５からのはみ出しがさらに抑制される。
【００４９】
尚、突条１８ｂは、本体側部位１４に形成されず引出側部位１６にのみ形成されてもよいし、引出側部位１６に形成されず本体側部位１４にのみ形成されてもよい。むろん、突条１８ｂは、一面２ａ１側に形成されず他面２ａ２側にのみ形成されてもよいし、他面２ａ２側に形成されず一面２ａ１側にのみ形成されてもよい。突条１８ｂの長手方向は、引出方向Ｄ２２から例えば４５°以内（より好ましくは３０°以内、さらに好ましくは１５°以内）でずれてもよい。
【００５０】
さらに、図６（ａ）〜（ｃ）で示したような溝１２ａに図９で示したような突条１８ｂを有する凹凸形状１８が繋がっていてもよいし、図８（ａ）〜（ｃ）で示したような突条１２ｂに図７で示したような溝１８ａを有する凹凸形状１８が繋がっていてもよい。
【００５１】
屈曲部１２は、溝１２ａと突条１２ｂの組合せでもよい。図１０（ａ）は、溝１２ａの両側に突条１２ｂが形成された厚肉部１０Ｉを示している。図１０（ａ）の右側には、図１０（ａ）のＡ１−Ａ１の位置における厚肉部１０Ｉの断面を示している。屈曲部１２は、長手方向を引出端２０の長手方向ＤＬ２に向けて互いに並行する溝１２ａ及び複数本の突条１２ｂを有している。尚、厚肉部１０Ｉにおける溝１２ａの部分の厚みＴ３はＴ１＜Ｔ３＜Ｔ２であり、厚肉部１０Ｉにおける突条１２ｂの部分の厚みＴ４はＴ２＜Ｔ４である。互いに並行する溝１２ａと突条１２ｂとが組み合わせられることにより、屈曲部１２を起点として厚肉部１０Ｉが屈曲変形し易く、引出端２０の引出部５からのはみ出しがさらに抑制される。むろん、溝１２ａ及び突条１２ｂは、断続的に形成されてもよい。溝１２ａは、複数本でもよい。
【００５２】
図１０（ｂ）は、断続的な溝１２ａの周りの突条１２ｂに繋がりスクリーン２の引出方向Ｄ２２に沿った複数の突条１８ｂを有する凹凸形状１８が本体側部位１４と引出側部位１６の両方に形成された厚肉部１０Ｊを示している。判りやすく示すため、表面に現れている突条１２ｂ，１８ｂにハッチングを付している。図１０（ｂ）の右側には、突条１８ｂを通らないＡ１−Ａ１の位置、及び、突条１８ｂを通るＡ２−Ａ２の位置における厚肉部１０Ｊの断面を示している。長手方向を引出方向Ｄ２２に向けた突条１８ｂが屈曲部１２の突条１２ｂに繋がっていることにより、溝１２ａを起点として厚肉部１０Ｊが屈曲変形し易く、引出端２０の引出部５からのはみ出しがさらに抑制される。むろん、凹凸形状１８は、複数の溝１８ａでもよい。
【００５３】
また、上述した凹凸形状１８は、溝１８ａと突条１８ｂの組合せでもよい。むろん、凹凸形状１８は、本体側部位１４と引出側部位１６の一方にのみ形成されてもよい。
【００５４】
次に、屈曲変形可能な厚肉部１０の形成方法の例を説明する。
図１１は、溝１２ａを有する厚肉部１０を形成するためのウェルダー１００の例を模式的に示している。このウェルダー１００は、溝１２ａを形成するための突条１０１ａ，１０２ａを有する型１０１，１０２を有している。このウェルダー１００を用いることにより、例えば、以下のようにして厚肉部１０を形成することができる。
【００５５】
まず、図３に示すような開口２１ｃ及び係止孔２１ｄを形成した意匠材２５に芯材２２を包むように意匠材２５を二つ折りにし、意匠材２５の両端縁２５ａ，２５ａでスクリーン本体２ａの先端縁２ｃを挟む。意匠材２５は、袋状部２１になる材料である。次に、図１１の上側に示すように芯材２２を包みスクリーン本体の先端縁２ｃを挟んだ意匠材２５を離隔状態の型１０１，１０２の間に配置し、図１１の下側に示すように型１０１，１０２を近接させる。型１０１，１０２は、意匠材２５の熱可塑性材料（例えばレザーに含まれる熱可塑性樹脂）を少なくとも可塑化させる温度（好ましくは溶融させる温度）に加熱されている。これにより、スクリーン本体の先端縁２ｃと両側の意匠材２５とが溶着し、引出端２０に沿った溝１２ａが形成される。図１１の下側では、スクリーン本体の先端縁２ｃと意匠材２５との境界が示されているが、熱可塑性材料が溶融すると両者が融合した状態になる。図６（ａ）で示したように、厚肉部１０において溝１２ａの部分の厚みＴ３が溝１２ａ近傍の本体側部位１４及び引出側部位１６の厚みＴ２よりも薄くされることにより、厚肉部１０Ａが溝１２ａを起点として屈曲変形可能とされる。
【００５６】
図１２は、突条１２ｂを有する厚肉部１０を形成するためのウェルダー１００の例を模式的に示している。このウェルダー１００は、突条１２ｂを形成するための溝１０１ｂ，１０２ｂを有する型１０１，１０２を有している。このウェルダー１００を用いることにより、例えば、以下のようにして厚肉部１０を形成することができる。
【００５７】
まず、開口２１ｃ及び係止孔２１ｄを形成した意匠材２５に芯材２２を包むように意匠材２５を二つ折りにし、意匠材２５の両端縁２５ａ，２５ａでスクリーン本体２ａの先端縁２ｃを挟む。次に、図１２の上側に示すように芯材２２を包みスクリーン本体の先端縁２ｃを挟んだ意匠材２５を離隔状態の型１０１，１０２の間に配置し、図１２の下側に示すように型１０１，１０２を近接させる。これにより、スクリーン本体の先端縁２ｃと両側の意匠材２５とが溶着し、引出端２０に沿った突条１２ｂが形成される。図８（ａ）で示したように、厚肉部１０において突条１２ｂの部分の厚みＴ４が突条１２ｂ近傍の本体側部位１４及び引出側部位１６の厚みＴ２よりも大きくされることにより、厚肉部１０において突条１２ｂの部分の溶着が弱くなり、厚肉部１０が突条１２ｂを起点として屈曲変形可能とされる。
【００５８】
図示していないが、凹凸形状１８を有する厚肉部等、図６（ａ）や図８（ａ）で示した厚肉部１０Ａ，１０Ｅ以外の厚肉部を形成する際には、厚肉部の表面形状に合わせた形状を形成した型を有するウェルダーを使用すればよい。
尚、厚肉部１０の本体側端縁１４ａを薄くすると本体側端縁１４ａが巻取軸３の収容空間ＳＰ１に入り易くなるものの、そのためには型１０１，１０２において本体側端縁１４ａを形成する部分を突出させる必要がある。このような突出部分が型１０１，１０２に形成されると、本体側端縁１４ａが形成される部分のスクリーン本体２ａが型１０１，１０２の前記突出部分に挟まれるため、この部分でスクリーン本体２ａが切断されないように型１０１，１０２の動作を調整するのが容易ではない。本技術は、厚肉部１０に対して引出方向Ｄ２２における途中の位置に屈曲部１２を形成することにより、本体側端縁１４ａを薄くしなくても巻取軸３の収容空間ＳＰ１に入り込み易くしている。
【００５９】
次に、図５（ａ）〜（ｅ）を参照して、屈曲変形可能な厚肉部１０を有するスクリーン２の巻取動作を説明する。図５（ａ）は、収容方向Ｄ２１へ移動中のスクリーン２の様子を示している。図５（ｂ）は、厚肉部１０の本体側端縁１４ａが第一スリット縁部５１（ドアトリム８０５）に接触した様子を示している。この後、厚肉部１０は、ドア側（ケース方向Ｄ１１の側）へ回転しながら図５（ｃ）に示すようにスリット５０内に入り、本体側端縁１４ａが角部５５近傍において受け面５４に接触する。このとき、厚肉部１０は屈曲部１２を起点として一旦、スクリーン本体２ａの他面２ａ２側が凸となるように屈曲変形する。これにより、本体側端縁１４ａが巻取軸３の収容空間ＳＰ１に対して円滑に入り、厚肉部１０がさらにドア側へ回転し、図５（ｄ）に示すように本体側部位１４が収容空間ＳＰ１に入り込んでいく。収容空間ＳＰ１に入った本体側部位１４は、巻取軸３の巻取力によってスクリーン本体２ａに引っ張られる。スクリーン本体２ａの向きはケース内面４６ｃに沿う向きに近いため、図５（ｅ）に示すように、屈曲部１２を起点としてスクリーン本体２ａの一面２ａ１側が受け面の角部５５に沿って凸となるように厚肉部１０が屈曲変形する。
【００６０】
屈曲部１２を起点として厚肉部１０が屈曲変形することにより、図５（ｃ）に示すように本体側端縁１４ａが受け面５４に突き当たった状態で止まることが抑制され、図５（ｄ）に示すように本体側端縁１４ａがごく僅かに収容空間ＳＰ１に入った状態で止まることも抑制される。屈曲変形の起点となる屈曲部１２が厚肉部１０にあることにより、スクリーン２の収納性が非常に良好である。また、図５（ｅ）に示すように屈曲部１２を起点として一面２ａ１側が凸となるように厚肉部１０が屈曲していることによっても受け面５４からのスクリーン引出端２０の浮き上がりが抑制される。従って、本巻取装置１は、スクリーン引出端２０の引出部５からのはみ出しが抑制される。
【００６１】
さらに、図５（ｅ）に示す状態から図１等に示す操作部２３を摘んでスクリーン２を引き出すと、図５（ａ）に示すように厚肉部１０の屈曲の程度が弱くなる。従って、本巻取装置１は、使用時のスクリーンの外観が非常に良好である。
【００６２】
（４）予め屈曲した形状に成形された厚肉部の具体例：
図１３（ａ）〜（ｄ）は、受け面５４の角部５５に沿った凸形状に予め成形された厚肉部１０Ｋ〜１０Ｎを例示する垂直断面図である。図１３（ａ）に示す厚肉部１０Ｋの屈曲部１２には、屈曲変形させるための溝や突条が形成されていない。図１３（ｂ）に示す厚肉部１０Ｌは、受け面の角部５５に沿った凸形状に予め成形されたうえ、屈曲部１２に溝１２ａが形成されている。図１３（ｃ）に示す厚肉部１０Ｍは、受け面の角部５５に沿った凸形状に予め成形されたうえ、屈曲部１２に突条１２ｂが形成されている。図１３（ｄ）に示す厚肉部１０Ｎは、受け面の角部５５に沿った凸形状に予め成形されたうえ、屈曲部１２に溝と突条が形成されている。図示を省略するが、厚肉部１０を受け面の角部５５に沿った凸形状に予め成形したうえ上述した厚肉部１０Ａ〜１０Ｊの溝１２ａ、突条１２ｂ、及び、凹凸形状１８と同様の形状を厚肉部１０に付与することも可能である。
【００６３】
図１４は、厚肉部１０を受け面５４の角部５５に沿った凸形状に予め成形するためのウェルダー１００の例を模式的に示している。このウェルダー１００は、前記凸形状を形成するための曲面１０１ｃ，１０２ｃを有する型１０１，１０２を有している。このウェルダー１００を用いることにより、例えば、以下のようにして厚肉部１０を形成することができる。
【００６４】
まず、図３に示すような開口２１ｃ及び係止孔２１ｄを形成した意匠材２５に芯材２２を包むように意匠材２５を二つ折りにし、意匠材２５の両端縁２５ａ，２５ａでスクリーン本体２ａの先端縁２ｃを挟む。次に、図１４の上側に示すように芯材２２を包みスクリーン本体の先端縁２ｃを挟んだ意匠材２５を離隔状態の型１０１，１０２の間に配置し、図１４の下側に示すように型１０１，１０２を近接させる。これにより、スクリーン本体の先端縁２ｃと両側の意匠材２５とが溶着し、スクリーン本体２ａの一面２ａ１側が受け面の角部５５に沿って凸となる形状に予め成形された屈曲部１２が形成される。
【００６５】
次に、図１５（ａ）〜（ｅ）を参照して、受け面５４の角部５５に沿った凸形状に予め成形された厚肉部１０を有するスクリーン２の巻取動作を説明する。図１５（ａ）は、収容方向Ｄ２１へ移動中のスクリーン２の様子を示している。図１５（ｂ）は、厚肉部１０の本体側端縁１４ａが第一スリット縁部５１（ドアトリム８０５）に接触した様子を示している。この後、厚肉部１０は、ドア側（ケース方向Ｄ１１の側）へ回転しながら図１５（ｃ）に示すようにスリット５０内に入り、本体側端縁１４ａが角部５５近傍において受け面５４に接触する。厚肉部１０がさらにドア側へ回転すると、図１５（ｄ）に示すように本体側部位１４が収容空間ＳＰ１に入る。最後に、図１５（ｅ）に示すように、受け面の角部５５に屈曲部１２を合わせるように本体側部位１４が収容空間ＳＰ１に入り込む。
【００６６】
図１５（ｅ）に示すように屈曲部１２を起点として一面２ａ１側が凸となるように厚肉部１０が屈曲していることにより、受け面５４からのスクリーン引出端２０の浮き上がりが抑制される。従って、本巻取装置１も、スクリーン引出端２０の引出部５からのはみ出しが抑制される。また、厚肉部１０が受け面の角部５５に沿った凸形状に予め成形されているため、スクリーン収納時の見栄えが非常に良好である。
【００６７】
（５）その他変形例：
本発明は、種々の変形例が考えられる。
サンシェード装置としての巻取装置の設置箇所は、サイドウィンドウ以外にも、リヤウィンドウ、ルーフウィンドウ、フロントウィンドウ、等でもよい。巻取装置は、トノカバー装置等でもよい。スクリーンの引出方向は、上方以外にも、下方、水平方向、等でもよい。
巻取軸を設ける箇所は、ハーフケース以外にも、巻取軸のほぼ全周を囲むケースでもよいし、ドアトリムといったトリムでもよい。
厚肉部は、芯材や操作部が無くてもよく、スクリーン本体の先端縁を挟み込むガーニッシュ部材等でもよいし、スクリーン本体の先端縁を折り返した部位等でもよい。
屈曲変形の起点となる屈曲部は、溝と突条の少なくとも一方で形成される以外にも、本体側部位及び引出側部位よりも軟質の材料で形成される部位、弾性材料で形成される部位、等でもよい。
【００６８】
厚肉部の屈曲部は、スクリーン引出端の長手方向において一部にのみ設けられてもよい。
図１６（ａ）は変形例に係る巻取装置１を例示する平面図であり、図１６（ｂ）は変形例において巻取軸３を設けるケース４０を例示する側面図である。図１７（ａ）〜（ｃ）は、種々の変形例におけるケース４０の要部を示している。図１８（ａ），（ｂ）は、面取りの深さｄ１を模式的に示している。これらの図において、収容部４の内面４６ｃに繋がる受け面５４の角部５５のうち面取りした部分を面取り部５６と呼び、角部５５の中で面取りしていない部分を非面取り部５７と呼ぶことにする。角部は、面取りされていない部分のみならず面取りされた部分を含む。本技術において、人間の目では注視しないと曲面とは見えない程のごく僅かな丸み（曲面）を鋭い角部につけることは、面取りに含まれない。ごく僅かな丸みとは、曲率半径１．０ｍｍ以下、好ましくは曲率半径０．５ｍｍ以下の曲面をいう。図１８（ａ），（ｂ）に示すように、面取り部５６の深さｄ１は、面取りに含まれないごく僅かな曲面も含めて全く曲面が無い場合の非面取り部５７の角部５５から面取り部５６までの最短距離とする。図１８（ａ）は、Ｃ面といった略平面状の面取り部５６の深さを例示している。図１８（ｂ）は、Ｒ状といった曲面状の面取り部５６の深さを例示している。
【００６９】
図１６（ａ），（ｂ）に示す例は、受け面５４においてスクリーン引出端２０における長手方向ＤＬ２の端部近傍２０ａを受ける部分５４１の角部５５の少なくとも一部が非面取り部５７である。図３に示すように、引出端２０の端部近傍２０ａは、引出端２０の長手方向ＤＬ２の端部２０ｅから引出端２０の長手方向ＤＬ２の中央部２０ｃに向かう位置Ｐ１，Ｐ２の範囲内とする。ここで、端部２０ｅから中央部２０ｃまでの距離に対する端部２０ｅから位置Ｐ１までの距離の比は１／１０００とし、端部２０ｅから中央部２０ｃまでの距離に対する端部２０ｅから位置Ｐ２までの距離の比は１／５とする。端部近傍２０ａを受ける部分５４１の角部５５は、全てが非面取り部５７でもよいし、一部のみ非面取り部５７で残りが面取り部５６でもよい。
第二スリット縁部５２は、スクリーン本体２ａとは反対側（ケース方向Ｄ１１）へ凹んで第一スリット縁部５１との間に操作部２３が入る凹部５２ａを有している。この凹部５２ａは、第二スリット縁部５２から受け面５４までの段差部５３に形成されている。受け面５４において操作部２３を受ける部分５４２の角部５５の少なくとも一部は、非面取り部５７である。
【００７０】
面取り部５６は、図１７（ａ）に示すようにスリット５０の長手方向ＤＬ１のほぼ全体にわたって深さが実質的に一定でもよいし、図１７（ｂ），（ｃ）に示すようにスリットの長手方向ＤＬ１にわたって深さが変わってもよい。また、図１７（ｃ）に示すように、上記部分５４１，５４２の非面取り部５７にスクリーン本体２ａの方（トリム方向Ｄ１２）へ膨出した凸部５８，５９が形成されてもよい。
【００７１】
スクリーン収納時、厚肉部１０において端部近傍２０ａ，２０ａにある引出側部位１６が上記部分５４１，５４１の非面取り部５７に支持され、厚肉部１０において中央部２０ｃにある引出側部位１６が上記部分５４２の非面取り部５７に支持される。そこで、図１６（ａ）に示すように、引出端２０の長手方向ＤＬ２において面取り部５６に対応する箇所の厚肉部１０には屈曲部１２を形成せず、前記長手方向ＤＬ２において非面取り部５７に対応する箇所の厚肉部１０にのみ屈曲部１２を形成してもよい。この場合、スクリーン２が巻き取られた状態でスクリーン本体の一面２ａ１側が非面取り部５７に沿って凸となるように屈曲している屈曲部１２が厚肉部１０にあるので、スクリーン２が巻き取られたとき、受け面５４からのスクリーン引出端２０の浮き上がりが抑制される。従って、本変形例も、スクリーン引出端の引出部からのはみ出しが抑制される。尚、この効果は、非面取り部５７と屈曲部１２との位置にずれがあっても得られる。
【００７２】
（６）結び：
以上説明したように、本発明によると、種々の態様により、スクリーン巻取時にスクリーンの引出部からスクリーン引出端がはみ出すことを抑制することが可能な技術等を提供することができる。むろん、従属請求項に係る構成要件を有しておらず独立請求項に係る構成要件のみからなる技術でも、上述した基本的な作用、効果が得られる。
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【００７３】
１…巻取装置、
２…スクリーン、２ａ…スクリーン本体、２ａ１…一面、２ａ２…他面、２ｃ…先端縁、
３…巻取軸、４…収容部、５…引出部、６…付勢機構、
１０，１０Ａ〜１０Ｎ…厚肉部、１１…溶着部、
１２…屈曲部、１２ａ…溝、１２ｂ…突条、
１４…本体側部位、１４ａ…本体側端縁、１６…引出側部位、
１８…凹凸形状、１８ａ…溝、１８ｂ…突条、
２０…引出端、２１…袋状部、２２…芯材、２３…操作部、２５…意匠材、
３１…筒状体、３２…軸受け部、３３…支軸部、
４０…ケース、４１，４２…壁部、４３…外方延出部、
４６…側面部、４６ａ…背部、４６ｂ…底部、４６ｃ…内面、４７…開口部、
５０…スリット、５１…第一スリット縁部、５２…第二スリット縁部、
５３…段差部、５４…受け面、５５…角部、５６…面取り部、５７…非面取り部、
１００…ウェルダー、１０１，１０２…型、
ＡＸ１…軸心、Ｃ１…車室、
Ｄ１…軸方向、ＤＲ１…巻取方向、
Ｄ１１…ケース方向、Ｄ１２…トリム方向、
Ｄ２１…収容方向、Ｄ２２…引出方向、
ＤＬ１…スリットの長手方向、ＤＬ２…引出端の長手方向、
Ｐ１０…収容位置、Ｐ１１…巻取位置、Ｐ１２…引出位置、
ＳＰ１…収容空間。
【図１】
2015221585.tif 000003
【図２】
2015221585.tif 000004
【図３】
2015221585.tif 000005
【図４】
2015221585.tif 000006
【図５】
2015221585.tif 000007
【図６】
2015221585.tif 000008
【図７】
2015221585.tif 000009
【図８】
2015221585.tif 000010
【図９】
2015221585.tif 000011
【図１０】
2015221585.tif 000012
【図１１】
2015221585.tif 000013
【図１２】
2015221585.tif 000014
【図１３】
2015221585.tif 000015
【図１４】
2015221585.tif 000016
【図１５】
2015221585.tif 000017
【図１６】
2015221585.tif 000018
【図１７】
2015221585.tif 000019
【図１８】
2015221585.tif 000020
【図１９】
2015221585.tif 000021